(57)【要約】      （修正有）【課題】施工現場での組立一体化が可能なプレキャストコンクリート製部材による大型のボックスカルバートの提供。【解決手段】左側壁２０とその上端より一体に張り出され頂版の一部を構成する上部張出部２２ちとその側壁の下端より一体に張り出され底版の一部を構成する下部張出部２３ａとを一体に有する断面がコ字形をした左側壁部構成ブロック３０と、右側壁２１とその上端より一体に張り出され頂版の一部を構成する上部張出部２３ａとその側壁の下端より一体に張り出され底版の一部を構成する下部張出部２３ｂとを一体に有する断面がコ字形をした右側壁部構成ブロック３１と、左右の側壁部構成ブロック３０，３１の上部張出部２２ａ，２２ｂ間に掛け渡される頂版ブロック３２とを備え、左右の側壁部構成ブロック３０，３１の下部張出部２２ｂ，２３ｂ間に底版コンクリートを打設可能にしてなるボックスカルバート。【選択図】図１
0003127564.tif 000002
【実用新案登録請求の範囲】
【請求項１】
左右の側壁と、該両側壁の上端間の頂版と、同下端間の底版と備え、断面が方形の筒状をしたボックスカルバートにおいて、
前記左側壁とその上端より一体に張り出され頂版の一部を構成する上部張出部と該側壁の下端より一体に張り出され底版の一部を構成する下部張出部とを一体に有する断面がコ字形をした左側壁部構成ブロックと、前記右側壁とその上端より一体に張り出され頂版の一部を構成する上部張出部と該側壁の下端より一体に張り出され底版の一部を構成する下部張出部とを一体に有する断面がコ字形をした右側壁部構成ブロックと、前記左右の側壁部構成ブロックの前記上部張出部間に掛け渡される頂版ブロックとを備え、
前記左右の側壁部構成ブロックの前記下部張出部から前記底版内に埋設させる鉄筋が突設され、前記左右の側壁部構成ブロックを所定位置に設置した後に前記鉄筋を埋め込んで底版コンクリートを打設可能にしてなるボックスカルバート。
【請求項２】
前記各ブロック間の連結をそれぞれヒンジ結合とした請求項１に記載のボックスカルバート。
【請求項３】
前記左右の側壁部構成ブロックの各上部張出部と前記頂版ブロックとの接合部は、それぞれ前記両張出部から台座部を一体に突設させておき、該各台座部上に前記頂版部及び底版部から突設させた各支持部を緩衝材を介して載せ、前記台座部と支持部とをボルト止めすることによってヒンジ結合させた請求項２に記載のボックスカルバート。
【考案の詳細な説明】
【技術分野】
【０００１】
本考案は、道路や鉄道などの盛土内にこれを横切る配置に埋設し、通路や水路等として使用するための内部空間を有するプレキャストコンクリート製のボックスカルバートボックスカルバートに関する。
【背景技術】
【０００２】
従来、ボックスカルバートを道路や鉄道などの盛土内にこれを横切る配置に埋設する場合、工期短縮とコスト削減及び品質の保持を確保するなどの目的で、工場で予め製造した所謂プレキャストコンクリート製のボックスカルバートが使用されている。
【０００３】
また、人や車が通行する通路や立体交差などに用いられる大型のプレキャストコンクリート製のボックスカルバートは、大型である故に重量が大きく、単体での輸送が困難であるため、ボックスカルバートを複数のブロックに分割して成型しておき、これらを施工現場まで輸送し、各ブロックを組み合わせてボックスカルバートを組み立て成型する方法が知られている。
【０００４】
このようなプレキャストコンクリートブロックを組み立てて一体化させる方法には、ボルトを用いるボルト接合やＰＣ緊張材を用いるＰＣ接合等が知られている。
【０００５】
また、ボックスカルバートをプレキャストコンクリート製部材に分割する方法は、図５中の（ａ）、（ｂ）、（ｃ）に示すようなものが一般的である。これらはいずれも頂版１、底版２、左右の側壁３及び４を備えた方形筒状のボックスカルバートを示しており、図５（ａ）のボックスカルバートＡは、両側壁３，４中間で上下に二分割した上部材５と下部材６で構成されている。（例えば、特許文献１を参照）
図５（ｂ）のボックスカルバートＢは、頂版部材１ａと底版部材２ａと両側壁部材３ａ，４ａとの４部材により構成され、これらを接合させて方形筒状に組み立てている。（例えば、特許文献２を参照）
図５（ｃ）のボックスカルバートＣは、図５（ｂ）のボックスカルバートＢと同様に、頂版部材１ａと側壁部材３ａ，４ａと底版部５から構成されている。頂版部材１ａと側壁部材３ａ，４ａとをプレキャストコンクリート製とし、底版部５現場打ちコンクリートによって造成し、方形状に一体化されたボックスカルバートＣとしている。（例えば、特許文献３を参照）
【特許文献１】特開平８−１２０７５４号公報
【特許文献２】特開２００１−３３６２０９号公報
【特許文献３】特開２００２−１９４８０３号公報
【考案の開示】
【考案が解決しようとする課題】
【０００６】
しかし、上述の如き従来の技術では、一つのボックスが８メートルを超えるような大型の多連ボックスカルバートになると、従来の分割ブロック化方法では、例えば図５（ａ）にしめす構造では方法の場合では、１個のブロックが嵩高で重量が大きくなり、また、図５（ｂ）（ｃ）に示す方法の場合には、頂版、底版用のブロックが長大で大重量となり、いずれの場合においても陸上のトラック輸送が困難となるという問題がある。
【０００７】
また、上述の如き従来の分割構造の多連ボックスカルバートでは頂版の曲げモーメントが非常に大きくなってしまう。図６これらの曲げモーメントを示した応力図である。頂版の曲げモーメントが大きくなると、側壁にかかる曲げモーメントも増大する。
【０００８】
この頂版の曲げモーメントに対処する為に、一つのボックスが８メートルを超えるような大型の多連ボックスカルバートにおいては、各部材の厚みが極端に厚くならざるを得ず、また、プレキャストコンクリート製の超大型ボックスカルバートを実現する為に、各部材に分割し、製造を行ったとしても部材一つの重量が非常に大きく輸送が困難となる。さらに施工現場においても組立に必要な重機に、部材重量に対応した高い性能が求められ、現場打ちコンクリート以上にコストが嵩んでしまうという問題があった。
【０００９】
そこで本考案は、上述の従来技術の問題を鑑み、施工現場での組立一体化が可能なプレキャストコンクリート製部材による超大型の多連ボックスカルバートの提供を目的とする。
【課題を解決するための手段】
【００１０】
上述の如き従来の問題を解決し、所期の目的を達成するための請求項１に記載の考案の特徴は、左右の側壁と、該両側壁の上端間の頂版と、同下端間の底版と備え、断面が方形の筒状をしたボックスカルバートにおいて、前記左側壁とその上端より一体に張り出され頂版の一部を構成する上部張出部と該側壁の下端より一体に張り出され底版の一部を構成する下部張出部とを一体に有する断面がコ字形をした左側壁部構成ブロックと、前記右側壁とその上端より一体に張り出され頂版の一部を構成する上部張出部と該側壁の下端より一体に張り出され底版の一部を構成する下部張出部とを一体に有する断面がコ字形をした右側壁部構成ブロックと、前記左右の側壁部構成ブロックの前記上部張出部間に掛け渡される頂版ブロックとを備え、前記左右の側壁部構成ブロックの前記下部張出部から前記底版内に埋設させる鉄筋が突設され、前記左右の側壁部構成ブロックを所定位置に設置した後に前記鉄筋を埋め込んで底版コンクリートを打設可能にしたことにある。
【００１１】
請求項２に記載の考案の特徴は、請求項１の構成に加え、前記各ブロック間の連結をそれぞれヒンジ結合としたことにある。
【００１２】
請求項３記載の考案の特徴は、請求項２の構成に加え、前記左右の側壁部構成ブロックの各上部張出部と前記頂版ブロックとの接合部は、それぞれ前記両張出部から台座部を一体に突設させておき、該各台座部上に前記頂版部及び底版部から突設させた各支持部を緩衝材を介して載せ、前記台座部と支持部とをボルト止めすることによってヒンジ結合させたことにある。
【考案の効果】
【００１３】
本考案に係る多連ボックスカルバートは、左右の側壁と、該両側壁の上端間の頂版と、同下端間の底版と備え、断面が方形の筒状をしたボックスカルバートにおいて、前記左側壁とその上端より一体に張り出され頂版の一部を構成する上部張出部と該側壁の下端より一体に張り出され底版の一部を構成する下部張出部とを一体に有する断面がコ字形をした左側壁部構成ブロックと、前記右側壁とその上端より一体に張り出され頂版の一部を構成する上部張出部と該側壁の下端より一体に張り出され底版の一部を構成する下部張出部とを一体に有する断面がコ字形をした右側壁部構成ブロックと、前記左右の側壁部構成ブロックの前記上部張出部間に掛け渡される頂版ブロックとを備え、前記左右の側壁部構成ブロックの前記下部張出部から前記底版内に埋設させる鉄筋が突設され、前記左右の側壁部構成ブロックを所定位置に設置した後に前記鉄筋を埋め込んで底版コンクリートを打設可能にしたことにより、左右の両側壁部構成ブロックの最大長が、側壁高さと同長さとなり、また、左右の側壁構成ブロックの上下の両端部に頂版を構成する張出部があるために、頂版ブロックの長さを短くすることができ、頂版の長さが８ｍを超えるような大型のボックスカルバートであっても、各ブロックの輸送が、特別の輸送手段ではなく、通常のトラックによる陸上輸送が可能なものとすることができ。
【００１４】
また本考案では、頂版ブロックと左右の側壁部構成ブロックとの各接合部をそれぞれヒンジ接合としたことにより、頂版、両側壁にかかる曲げモーメントが各接合部から各部材に伝わらず、各部材の負担が軽減される。またＰＣ緊張材による接合ではない為ＰＣ緊張材を緊張する作業を必要とせず、特殊な技術を要せずに容易に施工することができ、かつ工期も短くすることができる。
【００１５】
更に本考案では、前記左右の側壁部構成ブロックの各上部張出部と前記頂版ブロックとの接合部は、それぞれ前記両張出部から台座部を一体に突設させておき、該各台座部上に前記頂版部及び底版部から突設させた各支持部を緩衝材を介して載せ、前記台座部と支持部とをボルト止めすることによってヒンジ結合させたことにより、施工現場において容易かつ確実にヒンジ結合構造を構成させることができる。
【考案を実施するための最良の形態】
【００１６】
次に本考案に係る多連ボックスカルバートの実施形態について説明する。
【００１７】
図１は、本考案に係るボックスカルバートの一例を示している。このボックスカルバートＤは、左右の側壁２０，２１の上端間に頂版２２が、同下端間に底版２３がそれぞれ備えられで筒状内部空間が形成されている。
【００１８】
このボックスカルバートＤは、左側壁部構成ブロック３０と、これと対称形状をした右側壁部構成ブロック３１と、頂版ブロック３２及び場所打ちの底版コンクリート３３とから構成されている。
【００１９】
左側壁部構成ブロック３０は、前記左側壁２０と、その上端より一体に張り出され頂版２２左側端の一部を構成する上部張出部２２ａと、該側壁２０の下端より一体に張り出され底版２３の左側端の一部を構成する下部張出部２３ａとを一体に有する断面がコ字形に成型されている。
【００２０】
右側壁部構成ブロック３１は、前記右側壁２１と、その上端より一体に張り出され頂版２２右側端の一部を構成する上部張出部２２ｂと、該側壁２１の下端より一体に張り出され底版２３の左側端の一部を構成する下部張出部２３ｂとを一体に有する断面がコ字形に成型されている。
【００２１】
頂版ブロック３２は、上記左右側壁部構成ブロック３０，３１の上部張出部２２ａ，２２ｂとの間に架け渡される平板上に形成されており、底版コンクリート３３は、上記左右側壁構成ブロック３０，３１の下部張出部２３ａ，２３ｂとの間に架け渡されるように場所打ちコンクリートによって形成されている。
【００２２】
左右の両側壁構成ブロック３０，３１の各上部張出部２２ａ及び２２ｂと頂版ブロック３２との接合部３６はヒンジ結合構造となっており、各張出部２２ａ，２２ｂの先端下半分の厚さ分を突出させた台座部４１ａを一体に突設させておくとともに、頂版ブロック３２の両端には、その上半分の厚さ分を突出させた支持部４１ｂを突設させておき、図１、図２に示すように、各台座部４１ａの上に各支持部４１ｂを載せて互いに接合させている。
【００２３】
そして図２に示すように、台座部４１ａ内にはアンカー５０を埋設しておくとともにそのアンカー５０の先端にカプラー５１を一体に備えておき、そのカプラー５１の先端を支持部４１ｂ上面に露出させている。支持部４１ｂには、その上面側に締結具収容用の凹部５４が形成され、その中央部分にボルト挿通孔５５が貫通開口されている。
【００２４】
前記台座部４１ａの上の接合面６２と、支持部４１ｂの下の接合面６３とのを間にゴム状弾性材からなる緩衝材５６を介して接合させ、ボルト挿通孔５５を通して締結用ボルト５７を凹部５４側から挿入し、その先端をカプラー５１に螺合させ、他端に座金５８及びナット５９を嵌合させ、ナット５９を締結することによって緩衝材５６の変形範囲内において互いに屈曲可能なヒンジ結合構造としている。
【００２５】
左右の両側壁構成ブロック３０，３１の各下部張出部２３ａ及び２３ｂの先端には、その先端下半分の厚さ分を突出させた台座部４２ａ及び４２ｂを一体に突設させた段状に形成され、その先端側の縦向き面から連結用鋼材４３，４３……が突設されており、この鉄筋を埋め込んで場所打ちコンクリートによる底版コンクリート３３が打設成型され、これによって断面が方形状のボックスカルバートが構成されている。
【図面の簡単な説明】
【００２６】
【図１】本考案をボックスカルバートに実施した第一実施例を示す正面図である。
【図２】同上の頂版における接合状態を示す拡大断面図である。
【図３】同上のボックスカルバートに係る曲げモーメントを示す応力図である。
【図４】従来のボックスカルバートの分割方法を示す概要図である。
【図５】従来のボックスカルバートにおける曲げモーメントを示す応力図である。
【符号の説明】
【００２７】
Ｄ  ボックスカルバート
２０，２１  側壁
２２  頂版
２２ａ，２２ｂ  上部張出部
２３  底版
２３ａ，２３ｂ  下部張出部
３０  左側壁部構成ブロック
３１  右側壁部構成ブロック
３２  頂版ブロック
３３  底版コンクリート
３６  接合部
４１ａ  台座部
４１ｂ  支持部
５０  アンカー
５１  カプラー
５４  凹部
５５  ボルト挿通孔
５６  緩衝材
５７  締結用ボルト
５８  座金
５９  ナット
６２，６３  接合面
【図１】
0003127564.tif 000003
【図２】
0003127564.tif 000004
【図３】
0003127564.tif 000005
【図４】
0003127564.tif 000006
【図５】
0003127564.tif 000007